(57)【要約】【課題】気温が低い、降雪量が多いなどの環境下でも、前面パネルやワイパにおける雪氷の付着を軽減することができるとともに、氷やツララの生成を軽減することができる監視カメラ装置を得ることを目的とする。【解決手段】監視エリアを撮影する監視カメラ４を収納するカメラケース１の周囲に、風圧を受けると変形して振動するシリコーンゴム膜８を取り付けるようにする。これにより、気温が低い、降雪量が多いなどの環境下でも、前面パネル２やワイパ装置６における雪氷１０の付着を軽減することができ、また、氷やツララの生成を軽減することができる。【選択図】図１
2008113363.tif 000002
【特許請求の範囲】
【請求項１】
監視エリアを撮影して、上記監視エリアの映像を出力する監視カメラと、上記監視カメラを収納するカメラケースと、上記カメラケースの周囲に取り付けられ、風圧を受けると変形して振動するシート部材とを備えた監視カメラ装置。
【請求項２】
監視エリアを撮影して、上記監視エリアの映像を出力する監視カメラと、上記監視カメラを収納するカメラケースと、上記カメラケースの周囲に取り付けられ、付着物の自重によって変形するシート部材とを備えた監視カメラ装置。
【請求項３】
シート部材がシリコーンゴム膜であることを特徴とする請求項１または請求項２記載の監視カメラ装置。
【請求項４】
カメラケースの設置角度を変えるケース駆動機構を備えたことを特徴とする請求項１から請求項３のうちのいずれか１項記載の監視カメラ装置。
【請求項５】
金属フレームがシリコーンゴム膜に加硫接着されていることを特徴とする請求項３記載の監視カメラ装置。
【請求項６】
金属フレームが分割されていることを特徴とする請求項５記載の監視カメラ装置。
【請求項７】
外気温が第１の基準温度より低下すると発熱し、外気温が第２の基準温度より上昇すると発熱を止める発熱体と、シート部材と密着されており、上記発熱体による温度上昇又は温度低下に伴って変形するバイメタルとを備えたことを特徴とする請求項１から請求項６のうちのいずれか１項記載の監視カメラ装置。
【発明の詳細な説明】
【技術分野】
【０００１】
この発明は、雪氷付着の防止機能を備えている監視カメラ装置に関するものである。
【背景技術】
【０００２】
従来の監視カメラ装置は、以下に示すような要素から構成されている（例えば、特許文献１を参照）。
（１）監視エリアを撮影して、その監視エリアの映像を出力する監視カメラ
（２）監視カメラの撮影方向に開口部を有し、その監視カメラを収納するカメラケース
（３）カメラケースの開口部に設けられた透光体
（４）透光体の内側表面に設けられ、通電されると発熱するデフロスタ
（５）透光体をカメラケースに支持する金属製の前面パネル
（６）前面パネルを加熱するパネル加熱部
（７）デフロスタ及び前面パネルの温度を検知し、その温度が所定温度以下になると、デフロスタ及びパネル加熱部を起動する温度検知部
【０００３】
【特許文献１】特開２００２−１５２５６３号公報（段落番号［００１４］から［００１８］、図１、図２）
【発明の開示】
【発明が解決しようとする課題】
【０００４】
従来の監視カメラ装置は以上のように構成されているので、デフロスタ及びパネル加熱部が前面パネルにおける雪氷の付着を軽減することができる。しかし、風速が高い、気温が低い、降雪量が多いなどの環境下では、外気や雪氷に奪われる熱量がデフロスタやパネル加熱部の発熱量を上回り、融雪ができなくなることがある。このような場合には、透光体や前面パネルにおける雪氷の付着によって監視カメラの視野が狭くなることがある課題があった。
また、デフロスタやパネル加熱部から熱を受けない箇所（例えば、ワイパ）に雪氷が付着すると、環境がセ氏０度以上に回復しなければ、その雪氷が剥がれ落ちないため、監視カメラの視野が狭くなることがある課題があった。
さらに、デフロスタやパネル加熱部により溶かされた雪氷が再氷結して、氷やツララが監視カメラに固着するなど、２次的な不具合を起こすことがあるなどの課題があった。
【０００５】
この発明は上記のような課題を解決するためになされたもので、風速が高い、気温が低い、降雪量が多いなどの環境下でも、前面パネルやワイパにおける雪氷の付着を軽減することができるとともに、氷やツララの生成を軽減することができる監視カメラ装置を得ることを目的とする。
【課題を解決するための手段】
【０００６】
この発明に係る監視カメラ装置は、監視エリアを撮影する監視カメラを収納するカメラケースの周囲に、風圧を受けると変形して振動するシート部材を取り付けるようにしたものである。
【発明の効果】
【０００７】
この発明によれば、監視エリアを撮影する監視カメラを収納するカメラケースの周囲に、風圧を受けると変形して振動するシート部材を取り付けるように構成したので、風速が高い、気温が低い、降雪量が多いなどの環境下でも、前面パネルやワイパにおける雪氷の付着を軽減することができるとともに、氷やツララの生成を軽減することができる効果がある。
【発明を実施するための最良の形態】
【０００８】
実施の形態１．
図１はこの発明の実施の形態１による監視カメラ装置を示す正面図であり、図２はこの発明の実施の形態１による監視カメラ装置を示す側面断面図である。
また、図３、図４及び図５はこの発明の実施の形態１による監視カメラ装置の効果を説明する説明図である。
図において、カメラケース１は監視カメラ４を収納して、屋外環境から監視カメラ４を保護するボックスである。
なお、カメラケース１は図１３に示すようなケース駆動機構２１により支持されており、ケース駆動機構２１がカメラケース１を水平軸方向や垂直軸方向に回転させることにより、カメラケース１の設置角度を変えることができる。
前面パネル２はカメラケース１の前面開口部に取り付けられ、中央部には開口部２ａが施されている。
【０００９】
透光体３は前面パネル２の開口部２ａに取り付けられている。
通電可能な抵抗体であるデフロスタ３ａは透光体３の内側表面に取り付けられ、通電されると発熱して、透光体３の表面に付着している雪氷の融雪や、透光体３の表面のくもりを除去する。
監視カメラ４は前面パネル２の開口部２ａから光を入射して監視エリアを撮影し、監視エリアの映像を出力する撮影装置である。
監視カメラ４のレンズ４ａは前面パネル２の開口部２ａから光が入射される位置に設置されている。
【００１０】
パネル加熱部５は主に透光体３の周囲に取り付けられ、通電されると発熱して、前面パネル２の表面に付着している雪氷を融雪する発熱体である。
ワイパ装置６はワイパブレード６ａと駆動部６ｂ等から構成されており、駆動部６ｂがワイパブレード６ａを透光体３の外面上で摺動させることにより、透光体３の外面に付着している雪氷、水滴やほこりなどを除去する。
デフロスタ用温度センサ７ａは前面パネル２の内側表面に取り付けられ、外気温が基準温度Ａより低下するとデフロスタ３ａを通電し、外気温が基準温度Ｂより上昇するとデフロスタ３ａの通電を止める通電制御を実施する。
パネル加熱部用温度センサ７ｂは前面パネル２の内側表面に取り付けられ、外気温が基準温度Ｃ（第１の基準温度）より低下するとパネル加熱部５を通電し、外気温が基準温度Ｄ（第２の基準温度）より上昇すると、パネル加熱部５の通電を止める通電制御を実施する。
【００１１】
シート部材であるシリコーンゴム膜８は前面パネル２を覆うようにカメラケース１の周囲に取り付けられ、風圧を受けると変形して振動、あるいは、雪氷１０などの付着物の自重によって変形することにより、付着している雪氷１０を剥離して除去するとともに、付着している雨水を除去する。
シリコーンゴム膜８の中央部には開口部８ａが施されており、シリコーンゴム膜８の排水口８ｂはシリコーンゴム膜８の開口部８ａから入った雪氷や水滴を排水する。
なお、９は監視カメラ４の視野範囲であり、１０は監視カメラ装置に付着している雪氷である。
【００１２】
次に動作について説明する。
監視カメラ装置は、例えば、屋外の所定場所に設置されており、カメラケース１内の監視カメラ４が透光体３を通して、例えば、河川や道路などの監視エリアを常時撮影する。
カメラケース１内の監視カメラ４は、監視エリアの映像を例えば管理室などに設置されているモニタ（図示せず）に伝送して、監視エリアの映像をモニタに表示する。
【００１３】
デフロスタ用温度センサ７ａは、外気温を測定し、外気温が基準温度Ａより低下するとデフロスタ３ａを通電する。
デフロスタ３ａは、デフロスタ用温度センサ７ａによって通電されると発熱し、透光体３の表面に付着している雪氷１０の融雪や、透光体３の表面のくもりを除去する。
また、パネル加熱部用温度センサ７ｂも、外気温を測定し、外気温が基準温度Ｃより低下するとパネル加熱部５を通電する。
パネル加熱部５は、パネル加熱部用温度センサ７ｂによって通電されると発熱し、前面パネル２の表面に付着している雪氷１０を融雪する。
【００１４】
雪氷１０や水滴、ほこりなどが透光体３の外面に付着している場合には、ワイパ装置６の駆動部６ｂがワイパブレード６ａを透光体３の外面上で摺動させることにより、透光体３の外面に付着している雪氷１０、水滴やほこりなどを除去する。
なお、ワイパ装置６の制御は、通常、上記のモニタを見ている監視者が、映像の画質が劣化したとき、外部コントローラ（図示せず）を用いて行う場合が多い。
【００１５】
上記のように、デフロスタ３ａやパネル加熱部５が発熱すると、透光体３や前面パネル２の表面に付着している雪氷１０を融雪することができ、また、ワイパ装置６のワイパブレード６ａを摺動させると、透光体３の外面に付着している雪氷１０や水滴等を除去することができる。
しかし、風速が高い、気温が低い、降雪量が多いなどの環境下では、外気や雪氷１０に奪われる熱量がデフロスタ３ａやパネル加熱部５の発熱量を上回り、融雪ができなくなることがある。このような場合には、透光体３や前面パネル２における雪氷１０の付着によって監視カメラ４の視野が狭くなることがある。
また、デフロスタ３ａやパネル加熱部５から熱を受けない箇所（例えば、ワイパ装置６）に雪氷１０が付着すると、環境がセ氏０度以上に回復しなければ、その雪氷１０が剥がれ落ちないため、監視カメラ４の視野が狭くなることがある。
この実施の形態１の監視カメラ装置は、風速が高い、気温が低い、降雪量が多いなどの環境下でも、前面パネルやワイパにおける雪氷１０の付着を軽減することができるようにするために、前面パネル２を覆うようにカメラケース１の周囲にシリコーンゴム膜８を取り付けている。
【００１６】
以下、前面パネル２を覆うようにカメラケース１の周囲に取り付けられているシリコーンゴム膜８の作用について説明する。
雪氷１０が吹き付ける環境下においては、シリコーンゴム膜８が取り付けられていなければ、雪氷１０が前面パネル２や透光体３に吹き付けられるが、シリコーンゴム膜８が取り付けられている場合、雪氷１０がシリコーンゴム膜８に吹き付けられる。
しかし、シリコーンゴム膜８は、下記に示すような特徴を有しているため、風圧を受けると変形して振動し、付着している雪氷１０を剥離して除去することができる。
また、雪氷１０などが付着すると、その付着物の自重によって変形することにより、付着している雪氷１０を剥離して除去することができる。
【００１７】
シリコーンゴム膜８の素材であるシリコーンゴムは、フッ素樹脂と並んで表面張力が高く、雪氷が付着し難い特徴がある。また、シリコーンゴムは、柔軟性が高いため、氷のような硬いものが剥がれる際に、全面が一度に剥がれる必要がなく、最弱部から順次剥離するようになる。このため、剥離に要する力のピークが非常に小さく、対抗性が非常良くなる特徴を有している。また、低温での硬度変化が小さく、セ氏−３０度までは、事実上無視できる特徴も有している。
【００１８】
ここで、図３はシリコーンゴム膜８が風圧によって変形して振動することにより、付着している雪氷１０を剥離して除去している様子を示している。なお、雪氷１０が剥離によって除去されるため、氷やつららの生成が殆ど起こらなくなる。
シリコーンゴム膜８の場合、雪氷１０の付着し難さは、風速が高い、気温が低い、降雪量が多いなどの環境に依存しないため、外気が低温時でも雪氷１０の除去能力が低下しない。
シリコーンゴム膜８は、従来の監視カメラ装置の金属製の前面パネルと比べて、雪氷１０の剥離に要する力が小さいため、雪氷１０が付着した場合でも、雪氷１０が成長して、つららが生成される前に、雪氷１０の自重で剥離することができる。
付着した雪氷１０が大きくなるほど、剥離させる力が増加するため、安定した動作が可能となる（図４を参照）。
【００１９】
なお、雪氷１０の付着量が少なく、雪氷１０の自重で剥離しない場合には、図５に示すように、ケース駆動機構２１がカメラケース１を垂直軸方向に回転させることにより、雪氷１０の付着箇所が下方を向くように、カメラケース１の設置角度を変えれば、雪氷１０の剥離が可能となる。
【００２０】
以上で明らかなように、この実施の形態１によれば、監視エリアを撮影する監視カメラ４を収納するカメラケース１の周囲に、風圧を受けると変形して振動するシリコーンゴム膜８を取り付けるように構成したので、風速が高い、気温が低い、降雪量が多いなどの環境下でも、前面パネル２やワイパ装置６における雪氷１０の付着を軽減することができるとともに、氷やツララの生成を軽減することができる効果を奏する。
【００２１】
実施の形態２．
図６はこの発明の実施の形態２による監視カメラ装置を示す正面図であり、図７はこの発明の実施の形態２による監視カメラ装置を示す側面断面図である。
図３及び図４において、図１及び図２と同一符号は同一または相当部分を示すので説明を省略する。
金属フレーム１１はシリコーンゴム膜８に加硫接着されており、シリコーンゴム膜８の受風による振動がシリコーンゴム膜８の全体に均一に分散するように作用する。
【００２２】
次に動作について説明する。
シリコーンゴム膜８の上部は、排水口８ｂがあるシリコーンゴム膜８の下部と比べて、受風による振動が小さい。
しかし、金属フレーム１１をシリコーンゴム膜８に加硫接着すると、金属フレーム１１がシリコーンゴム膜８の下部における大きな振動をシリコーンゴム膜８の全体に均一に分散するようになる。
このため、この実施の形態２の監視カメラ装置では、上記実施の形態１の監視カメラ装置より、シリコーンゴム膜８の上部における雪氷の付着を確実に防止することができる。
また、シリコーンゴム膜８は、単独ではシリコーンゴム膜８の弾性変形により開口部８ａの形状を維持することができないが、金属フレーム１１をシリコーンゴム膜８に加硫接着することにより、シリコーンゴム膜８の開口部８ａの形状を維持して、シリコーンゴム膜８が視野範囲９に入り込むことを防止することができる。
【００２３】
実施の形態３．
図８はこの発明の実施の形態３による監視カメラ装置を示す正面図であり、図において、図６と同一符号は同一または相当部分を示すので説明を省略する。
金属フレーム１１ａ，１１ｂはシリコーンゴム膜８に加硫接着されており、シリコーンゴム膜８の受風による振動がシリコーンゴム膜８の全体に均一に分散するように作用する。
なお、金属フレーム１１ａ，１１ｂは図６の金属フレーム１１が２つに分割されたものである。
【００２４】
上記実施の形態２では、金属フレーム１１をシリコーンゴム膜８に加硫接着して、シリコーンゴム膜８の振動を全体に均一に分散するものについて示したが、図８に示すように、２つに分割した金属フレーム１１ａ，１１ｂをシリコーンゴム膜８に加硫接着するようにしてもよい。
金属フレーム１１を２つに分割することにより、上記実施の形態２よりも、シリコーンゴム膜８が大きな振動になるため、雪氷付着の防止効果を高めることができる。
【００２５】
実施の形態４．
図９はこの発明の実施の形態４による監視カメラ装置を示す正面図であり、図１０はこの発明の実施の形態４による監視カメラ装置を示す側面断面図である。
図９及び図１０において、図１及び図２と同一符号は同一または相当部分を示すので説明を省略する。
上記実施の形態１では、パネル加熱部５を透光体３の周囲に取り付けているものについて示したが、シリコーンゴム膜８を実装する代わりに、パネル加熱部５を省略するようにしてもよい。
この場合、前面パネル２の表面に付着している雪氷１０を融雪することができなくなるが、シリコーンゴム膜８を実装しているので、雪氷１０の付着を軽減することができる。
また、パネル加熱部５を省略することにより、監視カメラ装置の小形化と低消費電力化を図ることができる。
【００２６】
実施の形態５．
図１１はこの発明の実施の形態５による監視カメラ装置を示す正面図であり、図１２はこの発明の実施の形態５による監視カメラ装置を示す側面断面図である。
図１１及び図１２において、図１及び図２と同一符号は同一または相当部分を示すので説明を省略する。
バイメタル１２は２つの異なる種類の金属から構成されており、シリコーンゴム膜８と密着するように取り付けられている。バイメタル１２はパネル加熱部５が発熱して温度上昇すると、その熱によって変形し、パネル加熱部５が発熱を止めて温度低下すると、元の形状に戻る部材である。
【００２７】
上記実施の形態１〜４では、シリコーンゴム膜８が風圧を受けると変形して振動するものについて示したが、さらに、バイメタル１２がシリコーンゴム膜８を押圧して変形させるようにしてもよい。
具体的には、以下の通りである。
【００２８】
パネル加熱部用温度センサ７ｂは、上述したように、外気温を測定し、外気温が第１の基準温度である基準温度Ｃより低下すると、パネル加熱部５を通電し、外気温が第２の基準温度である基準温度Ｄより上昇すると、パネル加熱部５の通電を止める通電制御を実施する。
したがって、パネル加熱部５は、外気温が基準温度Ｃより低下すると、パネル加熱部用温度センサ７ｂによって通電されて発熱し、外気温が基準温度Ｄより上昇すると、パネル加熱部用温度センサ７ｂによる通電が解除されて発熱を止める。
【００２９】
バイメタル１２は、パネル加熱部５が発熱して温度上昇すると、その熱によって自身が変形するため、密着しているシリコーンゴム膜８を押圧して変形させる。
一方、パネル加熱部５が発熱を止めて温度低下すると、自身の形状が元に戻るため、密着しているシリコーンゴム膜８の形状も元に戻る。
バイメタル１２をシリコーンゴム膜８に設けたことにより、外気温の変化に応じてシリコーンゴム膜８が変形することになるため、風が弱い環境下においても、シリコーンゴム膜８の変形による雪氷１０の剥離を行うことができる。
【図面の簡単な説明】
【００３０】
【図１】この発明の実施の形態１による監視カメラ装置を示す正面図である。
【図２】この発明の実施の形態１による監視カメラ装置を示す側面断面図である。
【図３】この発明の実施の形態１による監視カメラ装置の効果を説明する説明図である。
【図４】この発明の実施の形態１による監視カメラ装置の効果を説明する説明図である。
【図５】この発明の実施の形態１による監視カメラ装置の効果を説明する説明図である。
【図６】この発明の実施の形態２による監視カメラ装置を示す正面図である。
【図７】この発明の実施の形態２による監視カメラ装置を示す側面断面図である。
【図８】この発明の実施の形態３による監視カメラ装置を示す正面図である。
【図９】この発明の実施の形態４による監視カメラ装置を示す正面図である。
【図１０】この発明の実施の形態４による監視カメラ装置を示す側面断面図である。
【図１１】この発明の実施の形態５による監視カメラ装置を示す正面図である。
【図１２】この発明の実施の形態５による監視カメラ装置を示す側面断面図である。
【図１３】ケース駆動機構が取り付けられている監視カメラ装置を示す説明図である。
【符号の説明】
【００３１】
１  カメラケース、２  前面パネル、２ａ  開口部、３  透光体、３ａ  デフロスタ、４  監視カメラ、４ａ  レンズ、５  パネル加熱部（発熱体）、６  ワイパ装置、６ａ  ワイパブレード、６ｂ  駆動部、７ａ  デフロスタ用温度センサ、７ｂ  パネル加熱部用温度センサ、８  シリコーンゴム膜（シート部材）、８ａ  開口部、８ｂ  排水口、９  監視カメラの視野範囲、１０  雪氷、１１  金属フレーム、１１ａ，１１ｂ  金属フレーム、１２  バイメタル、２１  ケース駆動機構。
【図１】
2008113363.tif 000003
【図２】
2008113363.tif 000004
【図３】
2008113363.tif 000005
【図４】
2008113363.tif 000006
【図５】
2008113363.tif 000007
【図６】
2008113363.tif 000008
【図７】
2008113363.tif 000009
【図８】
2008113363.tif 000010
【図９】
2008113363.tif 000011
【図１０】
2008113363.tif 000012
【図１１】
2008113363.tif 000013
【図１２】
2008113363.tif 000014
【図１３】
2008113363.tif 000015